(57)【特許請求の範囲】
【請求項１】
タンクの既存屋根部を改修するタンクの屋根部改修方法であって、
貯蔵水の上側の貯蔵空間を密閉するように、水に接触しても水質を悪化させる物質を放出しない仮設密閉構造体を架設し、
この仮設密閉構造体の上側の貯蔵空間に、仮設密閉構造体を損傷させる落下物を遮断する仮設張力構造体を架設した後、
既存屋根部を改修する、
ことを特徴とするタンクの屋根部改修方法。
【請求項２】
請求項１に記載のタンクの屋根部改修方法において、
仮設密閉構造体および仮設張力構造体は、軽量で、可撓性を有する材料で構成され、タンクの開口部から搬入して貯蔵空間内で組み立てられる、
ことを特徴とするタンクの屋根部改修方法。
【請求項３】
請求項１または請求項２に記載のタンクの屋根部改修方法において、
仮設密閉構造体は、貯蔵水の上側の貯蔵空間を密閉する密閉シートと、密閉シートで密閉された貯蔵空間を外気に通気させる連通部とで構成され、
密閉シートは周縁をタンクの側壁に接合して架設され、
連通部は密閉シートに一端が接続されている、
ことを特徴とするタンクの屋根部改修方法。
【請求項４】
請求項３に記載のタンクの屋根部改修方法において、
連通部を、架設した仮設張力構造体を貫通させて密閉シートに接続する、
ことを特徴とするタンクの屋根部改修方法。
【請求項５】
請求項３または請求項４に記載のタンクの屋根部改修方法において、
密閉シートを架設する足場として貯蔵水に浮かべた、水に接触しても水質を悪化させる物質を放出しないボートを利用する、
ことを特徴とするタンクの屋根部改修方法。
【請求項６】
請求項３から請求項５のいずれか１項に記載のタンクの屋根部改修方法において、
密閉シートを仮設張力構造体に複数の吊り部材で吊り下げる、
ことを特徴とするタンクの屋根部改修方法。
【請求項７】
請求項１から請求項６のいずれか１項に記載のタンクの屋根部改修方法において、
架設張力構造体は、張力構造部材と、落下物遮断部材とで構成され、
張力構造部材は端部をタンクの側壁または既存屋根部に接合して架設され、
落下物遮断部材は張力構造部材の上側に配設されている、
ことを特徴とするタンクの屋根部改修方法。
【発明の詳細な説明】
【０００１】
【発明の属する技術分野】
この発明は、水、例えば飲料用または工業用などの水を貯蔵するタンク、いわゆる貯水タンクの既存屋根部を改修する屋根部改修方法に関するものである。
【０００２】
【従来の技術】
従来、貯水タンクは、プレストレストコンクリート造（以下、「ＰＣ造」と言う。）タンクによって構築されることが多く、タンク本体部と、このタンク本体部の頂部に架設された屋根部とで構成されている。
そして、タンク本体部は、円形の底版と、この底版の周縁に立設された所要の厚さを有する平面視円環状に形成された円筒状の側壁とで、内部に内容物としての水道水を貯蔵する貯蔵空間を有するように構成されている。
なお、側壁は、ＰＣ造で構成され、コンクリート中に縦方向および横方向にＰＣ鋼材が配設されている。
そして、屋根部は、タンク本体部と一体化した鉄筋コンクリート造（以下、「ＲＣ造」と言う。）の屋根板体（スラブ）をドーム状に形成したドーム状屋根である。
【０００３】
次に、屋根部の屋根板体は、コンクリート断面厚さを薄くし（通常１０ｃｍ程度が多い。）、鉄筋を配筋しているので、鉄筋のかぶり厚さを適正に確保できず、水道水からの塩素雰囲気に曝され、コンクリートの経時的劣化が進行するので、耐久性に劣ることがある。
したがって、ＲＣ造の屋根部の耐用年数がタンク本体部の耐用年数よりも短い場合、タンク本体部自体は未だ使用できるのに、タンク全体を取り壊さなければならないので、不経済性である。
そこで、既存屋根部を修理して再利用するか、または解体して新設屋根部に取り替えてタンク本体部を再利用する改修方法が要望され、種々の改修方法が提案されているが、タンクの利用（稼働）を一時中止、中断して改修する方法である。
【０００４】
【発明が解決しようとする課題】
しかしながら、タンク内の貯蔵水が、例えば飲料用であれば、飲料水は毎日使用、利用するものであり、タンクが１基しかない場合、タンクの利用を中止、中断すれば、給水できなくなる。
そこで、タンクを利用しながらも、貯蔵水の水質を劣化させることなく、既存屋根部を改修して再利用するか、または解体して新設屋根部に取り替えてタンク本体部を再利用する改修方法が望まれている。
【０００５】
この発明は、上記したような要望に応えるためになされたもので、タンクを利用しながらも、貯蔵水の水質を劣化させることなく、既存屋根部を改修、解体することのできるタンクの屋根部改修方法を提供するものである。
【０００６】
【課題を解決するための手段】
請求項１の発明は、タンクの既存屋根部を改修するタンクの屋根部改修方法であって、貯蔵水の上側の貯蔵空間を密閉するように、水に接触しても水質を悪化させる物質を放出しない仮設密閉構造体を架設し、この仮設密閉構造体の上側の貯蔵空間に、仮設密閉構造体を損傷させる落下物を遮断する仮設張力構造体を架設した後、既存屋根部を改修する方法である。
【０００７】
請求項２の発明は、請求項１のタンクの屋根部改修方法において、仮設密閉構造体および仮設張力構造体を、軽量で、可撓性を有する材料で構成し、タンクの開口部から搬入して貯蔵空間内で組み立てる方法である。
請求項３の発明は、請求項１または請求項２のタンクの屋根部改修方法において、仮設密閉構造体を、貯蔵水の上側の貯蔵空間を密閉する密閉シートと、密閉シートで密閉された貯蔵空間を外気に通気させる連通部とで構成し、周縁をタンクの側壁に接合して密閉シートを架設し、連通部の一端を密閉シートに接続する方法である。
【０００８】
請求項４の発明は、請求項３のタンクの屋根部改修方法において、連通部を、架設した仮設張力構造体を貫通させて密閉シートに接続する方法である。
請求項５の発明は、請求項３または請求項４のタンクの屋根部改修方法において、密閉シートを架設する足場として貯蔵水に浮かべた、水に接触しても水質を悪化させる物質を放出しないボートを利用する方法である。
【０００９】
請求項６の発明は、請求項３から請求項５のいずれかのタンクの屋根部改修方法において、密閉シートを仮設張力構造体に複数の吊り部材で吊り下げるほうほうである。
請求項７の発明は、請求項１から請求項６のいずれかのタンクの屋根部改修方法において、架設張力構造体を、張力構造部材と、落下物遮断部材とで構成し、張力構造部材の端部をタンクの側壁または既存屋根部に接合して張力構造部材を架設し、落下物遮断部材を張力構造部材の上側に配設する方法である。
【００１０】
【発明の実施の形態】
この発明の特徴を図１に示すタンクの仮設屋根構造体を例にとって簡単に説明する。
図１はこの発明の第１実施形態であるタンクの屋根部改修方法に使用する仮設屋根構造体を示す説明図である。
【００１１】
この発明は、水（水道水、井戸水などの飲料用水、工業用水）を貯蔵するタンクＴを稼動している状態で、その既存屋根部５を改修、解体できるようにすることを目的とする。
したがって、仮設屋根構造体Ｋは、工事期間中に既存屋根部５の代用をなし、貯蔵水Ｗの水質を劣化させないことが前提条件となる。
さらに、既存屋根部５の開口部（５ａ）を利用して材料を搬入し、人力によって貯蔵空間Ｕの狭隘空間で組み立て作業をすることができる、材料、構造体とすることが望ましい。
なお、貯蔵空間Ｕ内の作業は、例えば貯蔵水Ｗ面上に浮かべたボートを作業用足場としながら行われるので、仮設屋根構造体Ｋを軽量で、可撓性、引張り強度の高い材料を使用して構成し、貯蔵空間Ｕ内で平面的に展開された張力構造とすることが望ましい。
【００１２】
そこで、仮設屋根構造体Ｋを、貯蔵水Ｗの上側の貯蔵空間Ｕを密閉するとともに、貯蔵水Ｗに接触しても水質を悪化させる物質を放出しない仮設密閉構造体（第１仮設屋根手段）１１と、この仮設密閉構造体１１よりも上側の貯蔵空間Ｕに架設され、仮設密閉構造体１１を損傷させる落下物Ｏを遮断する仮設張力構造体（第２仮設屋根手段）２１とで構成する。
なお、上下の位置関係は、既存屋根部５、仮設張力構造体２１、仮設密閉構造体１１、貯蔵水Ｗの順になっている。
【００１３】
上記した既存屋根部５は、ＲＣ造の屋根板体（スラブ）によってドーム状屋根に形成されているが、自重、作業荷重などの鉛直荷重を支持する構造体を挟んで下面に貯蔵空間Ｕを密閉する機能と、上面の屋根葺き材の機能とをサンドイッチ状に一体的に備えるものである。
この既存屋根部５の機能を分解することにより、仮設屋根構造体Ｋでは、仮設密閉構造体１１に貯蔵空間Ｕを密閉する機能と屋根葺き材の機能とを付与し、仮設張力構造体２１に構造体機能を付与している。
さらに、仮設密閉構造体１１に薄いシート状の密閉シート１２を使用していることから、この密閉シート１２に貯蔵水Ｗに接触しても水質を悪化させる物質を放出しない材質であることが要求され、仮設張力構造体２１には、仮設密閉構造体１１を損傷させる落下物Ｏを遮断することが要求される。
【００１４】
上記した仮設密閉構造体１１は、貯蔵空間Ｕを密閉する機能と、屋根葺き材の機能とを有する。
そして、密閉機能は水面の上方空間を密閉する機能であるので、タンクＴのタンク本体部１と仮設密閉構造体１１とは、直接貯蔵水Ｗに接触する容器の内面となる。
また、屋根葺き材の機能は、既存屋根部５を解体する際にコンクリート破片などの固体物（落下物）Ｏ、粉塵、濁水、雨水Ｒが貯蔵水Ｗに落下、侵入することを防ぐ機能である。
このため、仮設密閉構造体１１を、貯蔵空間Ｕを密閉する密閉シート１２と、この密閉シート１２で密閉した貯蔵空間Ｕを外気に通気させる連通部１３とで構成する。
【００１５】
上記した仮設張力構造体２１は、自重、作業荷重などの鉛直荷重を支持する構造体機能と、落下物遮断機能とを有する。
そして、構造体機能は、仮設張力構造体２１に加わる鉛直荷重のみならず、必要ならば仮設密閉構造体１１に加わる鉛直荷重をも支持し、密閉シート１２に要求される強度を軽減するものである。
また、落下物遮断機能は、密閉シート１２を破損する恐れのあるコンクリート破片などの固体物Ｏを密閉シート１２上に落下しないように遮断する機能と、作業員の落下防止の安全性を保持する機能などを言う。
このため、仮設張力構造体２１を、貯蔵空間Ｕの平面上に架設される張力構造部材２２と、この張力構造部材２２の上側に配設される落下物遮断部材２３とで構成するのが望ましい。
【００１６】
仮設屋根構造体Ｋは、仮設密閉構造体１１と、仮設張力構造体２１とからなり、既存屋根部５と貯蔵水Ｗとの間を遮断する保護手段である。
したがって、この発明によれば、タンクＴを使用しながらも、貯蔵水Ｗの水質を劣化させることなく、既存屋根部５を修理するか、または解体して新設屋根部に取り替えてタンク本体部１を再利用することができる。
【００１７】
以下、この発明の第１実施形態を図に基づいて詳細に説明する。
図１において、飲料用または工業用などの水を貯蔵するタンクＴは、底版２、この底版２の周縁に周回して立設され、所要の壁厚を有した環状平面形をなす側壁３からなるタンク本体部１と、側壁３の上端に架設され、貯蔵空間Ｕの上側を閉塞するドーム状の既存屋根部５とで構成されている。
そして、既存屋根部５には、図示を省略されているが、保守点検のための点検孔または作業孔として開口部（５ａ）が設けられている。
なお、タンクＴは、ＰＣ造として説明する。
【００１８】
仮設密閉構造体（第１仮設屋根手段）１１は、貯蔵水Ｗの上側の貯蔵空間Ｕを密閉し、貯蔵水Ｗに固体物Ｏ、粉塵、濁水、雨水Ｒなどが混入するのを防止する密閉シート１２と、この密閉シート１２で密閉した貯蔵空間Ｕを外気（外部）に連通させる連通部１３とで構成されている。
【００１９】
上記した密閉シート１２は、貯蔵水Ｗと直接接触しても有害物質、塵埃を放出せずに水質を維持する材料、材質であることが要求されるので、貯蔵水Ｗの水質を維持することができるものであればよく、例えば水道法、食品衛生法などに適合する材料、材質が好ましいが、必ずしも限定されるものではない。
そして、密閉シート１２は、屋根葺き材の機能を発揮するために、防水性、所要の強度を有する材料を使用して雨仕舞のよい構造とする。
【００２０】
また、密閉シート１２は、天然ゴム、合成ゴム、熱可塑性樹脂（例えば、ポリエチレン、ポリスチレン、ポリプロピレン、ポリ塩化ビニルなど）などの熱可塑性材料などで構成された薄いシート材として形成される。
例えば、エチレンと酢酸ビニルを共重合した熱可塑性プラスチックは、塩素、可塑性を含まない無毒で柔軟な樹脂であり、食品衛生法第１０条第１項に基づいて定められた食品添加物などの規格基準（厚生省告示第３７０号）に適合するもので、飲食物、飲料水の容器にも使用し得るものである。
【００２１】
この密閉シート１２は、所定の材質を有する薄いシート状の部材を使用して、貯蔵水Ｗの上方の貯蔵空間Ｕを塞ぐ１枚の大きなシートとして形成され、その平面視周縁部をタンク本体部１（側壁３）に固着、支持されている膜構造を構成する。
そして、密閉シート１２は、貯蔵空間Ｕの平面形状に合わせて構成され、周縁を側壁３に固定されるが、貯蔵空間Ｕを塞ぐ１枚の大きなシートであっても、分割した複数のシート片をタンクＴ内で、例えばファスナなどによって接合するものであってもよい。
【００２２】
また、密閉シート１２には、連通部１３を接続する開口１２ａが設けられ、中央部分に排水用の釜場１２ｂが設けられるとともに、図示は省略されているが、人が出入りでき、さらには後述するボートを出し入れすることができる、例えばファスナなどで開閉可能とされた作業用開口部（１２ｃ）が所定位置に設けられている。
さらに、密閉シート１２は、貯蔵水Ｗの上方の略水平面に貯蔵空間Ｕの内部形状に合わせた平面形に形成されているが、貯蔵水Ｗの上方空間を塞ぐものであればよく、例えば水平面に対して傾斜するように配設してもよい。
【００２３】
なお、貯蔵空間Ｕ内は貯蔵水Ｗの最高水位が上下するので、密閉された貯蔵空間Ｕ内と外気との圧力差を同一に保持するために、密閉シート１２に連通部１３を取り付けることが望ましい。
そして、連通部１３は、水の出入りに伴う貯蔵空間Ｕの通気をすること、粉塵、濁水などが貯蔵水Ｗに侵入することを防止することができるように、構造、配置個所、配置数を工夫する。
【００２４】
また、連通部１３は、密閉シート１２と同一素材で筒状に形成し、一方の開放端を、例えばファスナなどで着脱可能に密閉シート１２に密接させて接合し、他方の開放端を貯蔵空間Ｕ内へ塵埃を侵入させないようにタンク本体部１の外部へ延ばし、下側へ向けてある。
このため、工事中は風の方向を観測して開放端から粉塵が侵入しないように、連通部１３を移動させることができる。
【００２５】
次に、密閉シート１２とタンクＴとの接合部について説明する。
図５において、４１は側壁３に一部が埋め込まれるアンカーボルト、４２はアンカーボルト４１に螺合するボルト、４３はアンカーボルト４１が挿通される押さえプレートを示し、アンカーボルト４１とボルト４２とで締結具が構成される。
この締結具は、密閉シート１２の周縁部を側壁３に固定するものである。
なお、アンカーボルト４１〜押さえプレート４３は、耐腐食性を考慮してステンレス製または樹脂合成製とするのが望ましい。
【００２６】
そして、密閉シート１２は自重などの鉛直荷重を自身の引張り強度によって抵抗する膜構造を構成するので、その周縁部の接合部には密閉シート１２に作用する引張力が、側壁３に対して略垂直に作用する引張力として伝達される。
したがって、密閉シート１２の周縁部の接合部は、この引張力を伝達するものであればよく、他の構成による締結具であってもよい。
なお、密閉シート１２の周縁部を側壁３に接合する際、密閉シート１２が過大に弛まないように、所定の張力を加えてもよい。
【００２７】
図１において、仮設張力構造体（第２仮設屋根手段）２１は、張力構造を構成する張力構造部材２２と、落下物遮断部材２３とで構成されている。
そして、張力構造部材２２は、作業員などの作業荷重および／または後述する吊り部材３１を介した仮設密閉構造体１１、特に密閉シート１２の鉛直荷重を支持する支持機能を有する。
【００２８】
上記した張力構造部材２２は、軽量、可撓性、引張り強度、作業性に優れた材料、例えば高張力化学繊維（アラミド繊維）を帯状シート部材または棒状部材に形成した構造部材である。
この張力構造部材２２を、既存屋根部５の開口部（５ａ）から搬入し、密閉シート１２の上方空間の水平面上に架設し、その端部をタンクＴ（側壁３または既存屋根部５）に固定する。
そして、図３に示すように、複数の張力構造部材２２を、貯蔵空間Ｕの平面形状に合わせて、所定の間隔で平面視格子状に配置して、張力構造（テンション構造）を構成する。
なお、張力構造とは、張力構造部材２２に加わる鉛直荷重（自重、作業荷重など）を張力構造部材２２の引張り耐力により、支点（張力構造部材２２の材端部とタンクＴとの接合部）に伝達する構造を言う。
【００２９】
図１において、張力構造部材２２は、密閉シート１２の上方の略水平面に、貯蔵空間Ｕの内部形状に合わせた平面形に架設されている。
しかし、張力構造部材２２は、貯蔵空間Ｕの横方向に架設され、既存屋根部５（または側壁３）に支持、固定された張力構造を形成すればよく、例えば水平面に対して傾斜するように配設したり、貯蔵空間Ｕの中央部で下方へ凸部を有する湾曲形にしてもよい。
そして、複数の張力構造部材２２同士の水平間隔は、貯蔵空間Ｕの平面形状、張力構造部材２２に作用する引張力、張力構造部材２２とタンクＴとの接合部の構造、落下物遮断部材２３を支持するスパン長さなどを考慮して設定する。
【００３０】
次に、張力構造部材２２とタンクＴとの接合部を図５に基づいて説明する。
図５において、５ｂは貫通孔を示し、既存屋根部５の側壁３に近い部分に張力構造部材２２の平面的配置に対応して適当な間隔で周方向に設けられている。
５１は締結具としてのアンカーボルトを示し、貫通孔５ｂに対応させて貯蔵空間Ｕの外側に位置する側壁３に一部が埋め込まれ、張力構造部材２２の端部が取り付けられて固定される。
【００３１】
張力構造部材２２は自重などの鉛直荷重を自身の引張り強度によって抵抗する張力構造を構成するので、その端部の接合部には張力構造の材軸方向に作用する引張力が、既存屋根部５（または側壁３）に対しても横方向力（略水平力）として作用する。
したがって、張力構造部材２２の端部の接合部は、この横方向力を伝達するものであればよく、他の構造による締結具であってもよく、例えば図５に示すアンカーボルト５１の代わりに他の形状の締結金具を使用してもよい。
さらに、既存屋根部５に貫通孔５ｂを設けずに、既存屋根部５（または側壁３）の内面に接合部を形成してもよい。
なお、張力構造部材２２の端部をタンクＴに接合する際、張力構造部材２２が過大に弛まないように、所定の張力を加えてもよい。
【００３２】
上記した張力構造部材２２として、アラミド繊維の他に、高張力化学繊維の炭素繊維を挙げることができ、これらの高張力化学繊維は、所定の幅にした帯状シート材または組み紐状にした棒状体として利用する。
また、張力構造部材２２として金属材、例えばピアノ線などを挙げることができる。
なお、張力構造部材２２の平面配置はタンクＴ内の水平面形状に最適なものであれよく、例えば放射状でもよい。
【００３３】
上記した落下物遮断部材２３は、既存屋根部５を解体する際、密閉シート１２および連通部１３を損傷させる大きさのコンクリート破片などの固体物Ｏである落下物を遮断する篩の機能を有し、作業員の落下を防止する安全対策としての機能を兼ねるとともに、作業を行う足場となるものである。
図４に示す落下物遮断部材２３は養生ネットで構成され、図１に示すように、連通部１３を貫通させる開口２３ａが開口１２ａに対応させて設けられる。
なお、密閉シート１２および連通部１３を損傷させる固体物Ｏとは、一例として直径１０ｃｍ程度のコンクリート破片を挙げることができるが、落下物Ｏを篩う大きさは、７ｃｍが好ましく、さらには５ｃｍが望ましい。
【００３４】
図５において、２４は落下物遮断部材２３を張力構造部材２２に取り付ける取付具を示す。
なお、落下物遮断部材２３として、養生ネットの他に、養生金網、軽量な板体（金属製、木造、樹脂、その他）などを使用できるが、軽量な板体を使用する場合、重量が重くなる反面、足場板として利用することができる。
【００３５】
図１、図２および図５において、３１は吊り部材を示し、密閉シート１２を張力構造部材２２に吊り下げるものであり、例えば下端が密閉シート１２に接着固定され、上端が張力構造部材２２に結び付けて固定される。
この張力構造部材２２が密閉シート１２に加わる鉛直荷重を支持することにより、密閉シート１２に加わる荷重、荷重支持スパンが軽減されて、密閉シート１２に要求される強度が小さくなり、薄いシートを使用することができるので、経済性、作業性がよくなる。
さらに、密閉シート１２の周縁部と側壁３との接合部に加わる引張力（横方向力）が減少するので、接合部の構造、設置個所数を少なくすることができる。
なお、小規模なタンクＴ、または厚さを厚くして密閉シート１２の強度を高めた場合、吊り部材３１は不要となる。
【００３６】
次に、タンクの屋根構造体の改修方法について説明する。
図６〜図１２は屋根構造体の改修過程を示す説明図であり、図１〜図５と同一部分に同一符号を付して説明を省略する。
なお、各図には、連通部１３の図示が省略されている。
【００３７】
まず、図６に示すように、密閉シート１２を架設する。
まず、タンクＴの開口部５ａから貯蔵空間Ｕ内へボートＢを搬入して空気を入れることにより、貯蔵水ＷにボートＢを浮かべる。
このボートＢは、開口部５ａから搬入できるように軽量で可撓性の材質、構造に形成され、少なくとも貯蔵水Ｗに接触する部分は、密閉シート１２と同一素材で形成され、貯蔵水Ｗに接触しても水質を悪化させる物質、塵埃などを放出しないシートが貼り付けられている。
なお、ボートＢは水面へ放り投げられることにより、着水した衝撃でボンベからガスが噴出して水に浮くものであってもよい。
【００３８】
次に、作業員は開口部５ａからボートＢに乗り込み、貯蔵水Ｗの上側に位置する側壁３の同一レベルの円周方向に、図５に示すように、所定の間隔でアンカーボルト４１を打設、または螺合させる。
なお、アンカーボルト４１を取り付けるとき、貯蔵水Ｗの中へコンクリート片などが落ちないように養生する必要がある。
【００３９】
そして、図６に示すように、折り畳んだ密閉シート１２をロープによって仮受けしながら、開口部５ａから貯蔵空間Ｕ内へ入れ、ボートＢに乗った作業員は密閉シート１２を展開し、その周縁部を側壁３に取り付け、固定する。
この密閉シート１２の周縁部と側壁３との取り付け詳細は、図５に示すように、密閉シート１２の周縁を下側へ折り曲げ、押さえプレート４３によって密閉シート１２を側壁３に当接させ、ボルト４２をアンカーボルト４１に螺合させて密閉シート１２の周縁を側壁３に固定する。
この作業を順次行うことにより、密閉シート１２を架設し、貯蔵水Ｗの上側の貯蔵空間Ｕを密閉する。
【００４０】
次に、密閉シート１２の図示を省略した作業用開口部（１２ｃ）から作業員は脱出し、ボートＢを折り畳んで作業用開口部（１２ｃ）から密閉シート１２の上側へ搬出した後に開口部５ａからタンクＴ外へ搬出する。
【００４１】
次に、図７に示すように、張力構造部材２２を、密閉シート１２の上方空間に架設する。
まず、既存屋根部５の側壁３に近い位置に、適当な間隔で周方向へ貫通孔５ｂを開設するとともに、貫通孔５ｂに対応させてアンカーボルト５１を側壁３に打設する。
次に、張力構造部材２２を既存屋根部５の開口部５ａから貯蔵空間Ｕ内へ搬入し、その両端部を貫通孔５ｂに貫通させ、側壁３のアンカーボルト５１に緊結する。
逆に、張力構造部材２２を貫通孔５ｂから貯蔵空間Ｕ内へ挿入してもよい。
【００４２】
そして、複数の張力構造部材２２を、平面視格子状に配設し、その周縁部をタンク本体部１に固着、支持させて張力構造を構成する。
この複数の張力構造部材２２の平面上の間隔は、例えば、間隔が縦横に１ｍ〜２ｍとなるようにし〔図３では（７×２＝）１４本〕、図７に示すように、この張力構造部材２２に吊り部材３１を利用して密閉シート１２を吊り下げる。
【００４３】
次に、図８に示すように、開口部５ａから落下物遮断部材２３を貯蔵空間Ｕ内へ搬入し、張力構造部材２２の上に落下物遮断部材２３を敷くとともに、張力構造部材２２に落下物遮断部材２３を、取付具２４を利用して移動しないように取り付ける。
【００４４】
そして、図示しないが、連通部１３を搬入して密閉シート１２上に取り付ける。
なお、連通部１３の一端を開口２３ａ、張力構造部材２２に貫通させて開口１２ａの周縁の密閉シート１２に密接させて連結するとともに、連通部１３の他端側を開口部５ａから貯蔵空間Ｕの外へ延ばし、タンクＴの外部に位置する連通部１３の部分をタンクＴの下側へ向ける。
【００４５】
このように仮設密閉構造体１１および仮設張力構造体２１を配設し、貯蔵水Ｗの上の貯蔵空間Ｕを密閉シート１２で密閉し、この密閉シート１２で密閉した貯蔵空間Ｕを連通部１３でタンクＴの外側に連通させて連通部１３の先端（他端側）をタンクＴの下側へ向けたので、貯蔵水Ｗに塵埃などが混入しなくなるとともに、貯蔵水Ｗが増減するときの貯蔵空間Ｕの圧力を一定に保つことができる。
【００４６】
次に、図９に示すように、既存屋根部５を所定の大きさに分割して解体し、クレーンＣで順次地上へ吊り降す。
そして、図１０に示すように、既存屋根部５を解体した後、仮設張力構造体２１およびアンカーボルト５１を撤去する。
【００４７】
次に、図１１に示すように、片持ち部材４を、側壁３の頂部で貯蔵空間Ｕの内側に向かって略水平に張り出し、その先端部に取付け接合部を設ける。
そして、地上で予め製造しておいた新たな新設屋根部６をクレーンＣで吊り上げて片持ち部材４の上の各取付け接合部上に載置し、新設屋根部６を各取付け接合部に接続、固定する。
このように新設屋根部６をクレーンＣで吊り上げて各取付け接合部上に載置するとき、連通部１３を新設屋根部６と取付け接合部とで挟まないようにしたり、または新設屋根部６の図示を省略した開口部（６ａ）から外側へ延ばす。
なお、片持ち部材４を設けずに、側壁３の頂部に直接、取付け接合部を補強して新設屋根部６を載置してもよい。
【００４８】
次に、図１２に示すように、密閉シート１２、連通部１３を撤去する作業を行う。
そして、図示を省略したボートＢを新設屋根部６の開口部（６ａ）から搬入して密閉シート１２の作業用開口部（１２ｃ）を介して貯蔵水Ｗに浮かべ、開口部（６ａ）から挿入したロープによって密閉シート１２を仮受けできる状態にした後、作業員はボートＢに乗り込み、密閉シート１２を固定している締結具などを順次取り外し、密閉シート１２および連通部１３、すなわち仮設密閉構造体１１をタンクＴの外へ取り出す。
次に、作業員は開口部（６ａ）から脱出するとともに、ボートＢを折り畳んで開口部（６ａ）からタンクＴ外へ搬出し、改修作業が終了する。
【００４９】
図１３はこの発明の第２実施形態であるタンクの屋根部改修方法に使用する仮設屋根構造体を示す説明図である。
この第２実施形態が第１実施形態と異なるのは、仮設密閉構造体１１の連通部１３の構造、配置と、釜場を設けていないこと、仮設張力構造体２１の端部をタンクＴの側壁３に接合していること、吊り部材を設けていないことである。
この連通部１３は、密閉シート１２から突設する短い筒状に形成され、その先端部が仮設張力構造体２１より下方の貯蔵空間Ｕ内にあるために屈曲形成され、開口端を下に向けたり、横に向けてある。
【００５０】
なお、連通部１３は、防塵、防水ができる構造であれば、必ずしもその先端部をタンクＴの外部に配設する必要はない。
そして、複数の連通部１３を配置している。
さらに、仮設密閉構造体１１と仮設張力構造体２１との上下方向のレベル差は、タンクＴの形状、規模に応じて適宜定められる。
【００５１】
上記した仮設屋根構造体Ｋに係わる実施形態では、タンクＴを、プレストレストコンクリート造（ＰＣ造）として説明したが、ＲＣ造、鋼製でもよい。
また、密閉シート１２に釜場１２ｂを設けたが、雨水Ｒなどは弛んだ部分に集まるので、釜場１２ｂを設けなくてもよい。
さらに、仮設張力構造体２１、すなわち張力構造部材２２を、締結具を使用して貯蔵空間Ｕの外側に位置する側壁３に締結して架設したが、貯蔵空間Ｕの内側に位置する側壁３に締結して架設してもよい。
【００５２】
そして、仮設張力構造体２１を張力構造体２２と落下物遮断部材２３とで構成したが、篩機能を有する１枚のシートとしたり、または落下物Ｏを全て遮断する１枚のシートとし、密閉シート１２上に落下物Ｏを落とさないようにしてもよい。
また、吊り部材３１で密閉シート１２を張力構造部材２２に吊り下げたが、口径の小さなタンクＴの場合などは、落下物Ｏが少なくなるので、密閉シート１２を吊り部材３１で吊り下げなくてもよい。
【００５３】
上記した屋根構造体の改修方法では、ボートＢを作業途中でタンクＴ外に搬出したり、再度、搬入する手順を採ったが、工事中を通して、ボートＢを貯蔵水Ｗ上に浮かべたままにしておいてもよい。
さらに、仮設密閉構造体１１および仮設張力構造体２１を架設する前に締結具を取り付けておいたが、仮設密閉構造体１１および仮設張力構造体２１は架設しながら締結具で固定してもよい。
【００５４】
そして、仮設張力構造体２１を架設した後に連通部１３を配設したが、仮設張力構造体２１を架設する前に連通部１３を配設したり、または、仮設張力構造体２１を架設する前に配設した連通部１３を、仮設張力構造体２１を貫通させたり、さらにタンクＴの外部まで延ばしてもよい。
また、張力構造部材２２を配設した後に連通部１３を配設し、さらに落下物遮断部材２３を配設してもよく、さらに連通部１３をタンクＴの外部まで延ばしてもよい。
【００５５】
【発明の効果】
以上述べたように、この発明によれば、貯蔵水の上側の貯蔵空間を、水に接触しても水質を悪化させる物質を放出しない仮設密閉構造体で密閉し、この仮設密閉構造体よりも上側の貯蔵空間に、仮設密閉構造体を損傷させる落下物を遮断する仮設張力構造体を架設したので、タンクを使用しながらも、貯蔵水の水質を劣化させることなく、既存屋根部の修理するか、または解体して新設屋根部に取り替えてタンク本体部を再利用することができる。
【００５６】
また、ＲＣ造の屋根板体（スラブ）からなる既存屋根部の機能を分解し、仮設密閉構造体に貯蔵空間を密閉する機能と屋根葺き材の機能とを付与し、仮設張力構造体に構造体機能を付与している。
したがって、仮設密閉構造体と仮設張力構造体との二重構造となるので、仮設密閉構造体、仮設張力構造体は最適な材料、構造を選択し、自由に組み合わせることができる。
さらに、仮設密閉構造体を貯蔵水に接触しても水質を悪化させる物質を放出しない材料、材質で形成し、仮設張力構造体を、仮設密閉構造体を損傷させる落下物を遮断するように形成したので、直接、貯蔵水に接触する仮設密閉構造体に優れた材質を有する薄いシート状の密閉シートを自由に採用することができ、防水、防塵に優れた構造とすることができる。
【００５７】
請求項２の発明によれば、仮設密閉構造体および仮設張力構造体を、軽量で、可撓性を有する材料で構成し、タンクの開口部から搬入して貯蔵空間内で組み立てるので、既存屋根部に新たな開口部を開けることなく搬入することができ、人力によって貯蔵空間の狭隘空間で組み立て作業をすることができる。
また、既存屋根部に新たな開口部を開ける必要がないので、貯蔵水に落下物、塵埃、濁水などが混入するのを避けることができる。
さらに、仮設密閉構造体および仮設張力構造体を、予め貯蔵空間の寸法に合わせ製作してから搬入することができるのみならず、搬入後に貯蔵空間内の各部の寸法、形状に合わせて調整、加工することができるので、施工性に優れる。
【００５８】
請求項３または請求項４の発明によれば、貯蔵水の上側の貯蔵空間を密閉シートで密閉し、この密閉シートで密閉された貯蔵空間を外気に連通部で通気させたので、密閉シートは、屋根葺き材として機能し、既存屋根部を解体する際に落下物、粉塵、濁水、雨水が貯蔵水に落下、侵入することを防ぐことができる。
そして、連通部により、貯蔵水の最高水位が上下しても密閉シートで密閉された貯蔵空間内と外気との圧力差を同一に保持することができるので、密閉シートが膨張したり収縮することがなくなる。
しかも、連通部の開口端を介して粉塵、濁水などが貯蔵水に侵入することを防止することができる。
【００５９】
請求項５の発明によれば、密閉シートを架設する足場として貯蔵水に浮かべた、水に接触しても水質を悪化させる物質を放出しないボートを利用するので、ボートを貯蔵水に浮かべることによって足場とすることができるため、資材を運び込んで足場を設置することなく、簡単に足場を設置することができる。
そして、貯蔵水の水質を劣化させることなく、密閉シートを架設することができる。
【００６０】
請求項６の発明によれば、密閉シートを仮設張力構造体に複数の吊り部材で吊り下げたので、密閉シートに加わる荷重、荷重支持スパンが軽減され、密閉シートに要求される強度が小さくなり、薄いシートを使用することができ、経済性、作業性がよくなる。
さらに、密閉シートの周縁部とタンク本体との接合部に加わる引張力（横方向力）が減少するので、接合部の構造、設置個所数を少なくすることができる。
【００６１】
請求項７の発明によれば、張力構造部体は、貯蔵空間に架設されている張力構造部材と、この張力構造部材の上側に配設される落下物遮断部材とで構成されているので、自重、作業荷重などの鉛直荷重を支持する構造体機能を有する張力構造部材と、密閉シートを破損する恐れのある固体落下物を遮断する機能を有する落下物遮断部材とに分けて構成することができる。
したがって、張力構造部材、落下物遮断部材にとって最適な材料、構造を個別に選択し、それらを組み合わせて軽量で優れた張力構造体を構成する融通性を高くすることができる。
なお、張力構造部材を薄い膜状で形成すれば、落下物遮断部材は不要となる。
【図面の簡単な説明】
【図１】この発明の第１実施形態であるタンクの屋根部改修方法に使用する仮設屋根構造体を示す説明図である。
【図２】密閉シートを架設した平面状態を示す説明図である。
【図３】張力構造部材を架設した平面状態を示す説明図である。
【図４】落下物遮断部材を配設した平面状態を一部破断して示す説明図である。
【図５】密閉シート、張力構造部材、落下物遮断部材の取り合いの側面状態を示す説明図である。
【図６】屋根構造体の改修過程（密閉シートの架設作業）を示す説明図である。
【図７】屋根構造体の改修過程（張力構造部材の架設作業）を示す説明図である。
【図８】屋根構造体の改修過程（落下物遮断部材の敷設作業）を示す説明図である。
【図９】屋根構造体の改修過程（既存屋根部の撤去作業）を示す説明図である。
【図１０】屋根構造体の改修過程（仮設張力構造体の撤去作業）を示す説明図である。
【図１１】屋根構造体の改修過程（新設屋根部の取付け作業）を示す説明図である。
【図１２】屋根構造体の改修過程（仮設密閉構造体の撤去作業）を示す説明図である。
【図１３】この発明の第２実施形態であるタンクの屋根部改修方法に使用する仮設屋根構造体を示す説明図である。
【符号の説明】
Ｔ      タンク
１      タンク本体部
２      底版
３      側壁
４      片持ち部材
５      既存屋根部
５ａ    開口部
５ｂ    貫通孔
６      新設屋根部
Ｋ      仮設屋根構造体
１１    仮設密閉構造体（第１仮設屋根手段）
１２    密閉シート
１２ａ  開口
１２ｂ  釜場
１３    連通部
２１    仮設張力構造体（第２仮設屋根手段）
２２    張力構造部材
２３    落下物遮断部材
２３ａ  開口
２４    取付具
３１    吊り部材
４１    アンカーボルト
４２    ボルト
４３    押さえプレート
５１    アンカーボルト
Ｕ      貯蔵空間
Ｗ      貯蔵水
Ｒ      雨水
Ｏ      固体物（落下物）
Ｂ      ボート
Ｃ      クレーン
【図１】
0004138189.tif 000002
【図２】
0004138189.tif 000003
【図３】
0004138189.tif 000004
【図４】
0004138189.tif 000005
【図５】
0004138189.tif 000006
【図６】
0004138189.tif 000007
【図７】
0004138189.tif 000008
【図８】
0004138189.tif 000009
【図９】
0004138189.tif 000010
【図１０】
0004138189.tif 000011
【図１１】
0004138189.tif 000012
【図１２】
0004138189.tif 000013
【図１３】
0004138189.tif 000014